(57)【要約】【課題】無線通信装置の設置場所が適切かどうかを利用者が容易に判断することを可能にする。【解決手段】一つ以上の端末と無線通信を行い、各々の前記端末との前記無線通信の通信品質を測定し、各々の前記端末との前記無線通信の前記通信品質に基づいて前記無線通信の全体の前記通信品質の良否を評価し、前記評価結果を出力する。【選択図】      図１
2018074531.tif 000002
【特許請求の範囲】
【請求項１】
一つ以上の端末と無線通信を行う無線通信部と、
各々の前記端末との前記無線通信の通信品質を測定する測定部と、
各々の前記端末との前記無線通信の前記通信品質に基づいて前記無線通信の全体の前記通信品質の良否を評価する評価部と、
前記評価結果を出力する出力部と
を備えることを特徴とする無線通信装置。
【請求項２】
前記通信品質は、一つ以上の指標を含む
ことを特徴とする請求項１に記載の無線通信装置。
【請求項３】
前記測定部は、測定用の測定フレームを前記無線通信を介して前記端末へ送信し、前記端末から受信した第二の測定フレームに基づいて前記通信品質の前記測定を行い、
前記第二の測定フレームは、ヘッダ部分とＤａｔａ部分を含み、前記第二の測定フレームの前記Ｄａｔａ部分と前記測定フレームの前記Ｄａｔａ部分が同じである
ことを特徴とする請求項１あるいは請求項２に記載の無線通信装置。
【請求項４】
前記測定部は、前記端末の使用用途に応じた送信パラメータで前記測定フレームの前記送信を行う
ことを特徴とする請求項３に記載の無線通信装置。
【請求項５】
前記送信パラメータは、前記測定フレームの長さ、あるいは／および、前記測定フレームの送信レートを含む
ことを特徴とする請求項４に記載の無線通信装置。
【請求項６】
前記評価部は、前記端末の使用用途に応じた評価基準に基づいて前記評価を行う
ことを特徴とする請求項１から請求項５のいずれかに記載の無線通信装置。
【請求項７】
請求項１から請求項６のいずれかに記載の無線通信装置と、
前記端末と
を備えることを特徴とする無線通信システム。
【請求項８】
請求項３から請求項５のいずれかに記載の無線通信装置と、
前記端末と
を備え、
前記端末は、前記無線通信装置から前記測定フレームを受信し、前記第二の測定フレームを前記無線通信装置へ送信する
ことを特徴とする無線通信システム。
【請求項９】
一つ以上の端末と無線通信を行い、
各々の前記端末との前記無線通信の通信品質を測定し、
各々の前記端末との前記無線通信の前記通信品質に基づいて前記無線通信の全体の前記通信品質の良否を評価し、
前記評価結果を出力する
ことを特徴とする無線通信方法。
【請求項１０】
コンピュータに、
一つ以上の端末と無線通信を行う無線通信機能と、
各々の前記端末との前記無線通信の通信品質を測定する測定機能と、
各々の前記端末との前記無線通信の前記通信品質に基づいて前記無線通信の全体の前記通信品質の良否を評価する評価機能と、
前記評価結果を出力する出力機能と
を実現させることを特徴とする無線通信プログラム。
【発明の詳細な説明】
【技術分野】
【０００１】
本発明は、無線通信の通信品質を測定する、無線通信装置、システム、方法およびプログラムに関する。
【背景技術】
【０００２】
近年、各家庭に設置される無線ＬＡＮ（Local Area Network）アクセスポイントでは、帰属する無線子機端末の台数が増加し、ＰＣ（personal computer）以外にもＤＶＤ（Digital Versatile Disc）プレイヤーや家電製品など様々な種類の機器と接続されるようになっている。
【０００３】
一方、利用者がアクセスポイント（以下ＡＰ（Access Point））を適切な設置場所に設置しようとする場合、たとえば、各端末（以下ＳＴＡ（Station））で測定した通信性能や各ＳＴＡにおけるＡＰの無線強度などを確認してＡＰの設置場所を決める方法がある。通信性能は、たとえば、利用者の操作によりＳＴＡをＡＰ経由で回線速度測定サイトにアクセスさせてスピードテストを行う方法等により測定することができる。
【０００４】
しかし、これらの方法では、ＡＰに帰属するＳＴＡが多いとき、すべてのＳＴＡとＡＰとの間の通信性能や無線強度を測定するには労力がかかる。また、各ＳＴＡで測定した結果はそれぞれのＳＴＡに通知（表示）されるため、測定結果を利用者がメモするなどして情報をまとめておく必要がある点においても労力がかかる。
【０００５】
これに対して、特許文献１に記載の方法では、通信ポリシー適正化のために、ＳＴＡが通信品質を測定してポリシー管理装置に測定結果を送信している。この方法のように、ＳＴＡが利用者の操作を介することなく通信品質を測定することで、通信品質の測定における利用者の労力を軽減することが可能である。
【先行技術文献】
【特許文献】
【０００６】
【特許文献１】特開２０１６−０３９５５５公報
【発明の概要】
【発明が解決しようとする課題】
【０００７】
しかし、特許文献１に記載の方法では、各ＳＴＡとＡＰとの間の通信品質を測定することは可能であるが、得られた測定結果から専門的な知識のない一般的な利用者がＡＰの設置場所が適当か否かを判断することは難しい。
【０００８】
本発明の目的は、無線通信装置の設置場所が適切かどうかを利用者が容易に判断することを可能にする、無線通信装置、システム、方法およびプログラムを提供することにある。
【課題を解決するための手段】
【０００９】
上述の問題を解決するために、本発明の無線通信装置は、一つ以上の端末と無線通信を行う無線通信部と、各々の前記端末との前記無線通信の通信品質を測定する測定部と、各々の前記端末との前記無線通信の前記通信品質に基づいて前記無線通信の全体の前記通信品質の良否を評価する評価部と、前記評価結果を出力する出力部とを備えることを特徴とする。
【００１０】
また、本発明の無線通信方法は、一つ以上の端末と無線通信を行い、各々の前記端末との前記無線通信の通信品質を測定し、各々の前記端末との前記無線通信の前記通信品質に基づいて前記無線通信の全体の前記通信品質の良否を評価し、前記評価結果を出力することを特徴とする。
【００１１】
また、本発明の無線通信プログラムは、コンピュータに、一つ以上の端末と無線通信を行う無線通信機能と、各々の前記端末との前記無線通信の通信品質を測定する測定機能と、各々の前記端末との前記無線通信の前記通信品質に基づいて前記無線通信の全体の前記通信品質の良否を評価する評価機能と、前記評価結果を出力する出力機能とを実現させることを特徴とする。
【発明の効果】
【００１２】
本発明の無線通信装置、システム、方法およびプログラムにより、無線通信装置の設置場所が適切かどうかを利用者が容易に判断することが可能になる。
【図面の簡単な説明】
【００１３】
【図１】本発明の第一および第二の実施形態の無線通信装置の構成例を示す図である。
【図２】本発明の第一から第四の実施形態の無線通信装置の動作例を示す図である。
【図３】本発明の第二の実施形態の無線通信システムの構成例を示す図である。
【図４】本発明の第二の実施形態の無線通信装置の構成例を示す図である。
【図５】本発明の第二の実施形態の端末管理テーブルの例を示す図である。
【図６】本発明の第二の実施形態の測定フレームの構成例を示す図である。
【図７】本発明の第二の実施形態の端末（ＳＴＡ）の構成例を示す図である。
【図８】本発明の第二から第四の実施形態の無線通信装置の動作例を示す図である。
【図９】本発明の第三の実施形態の無線通信装置の構成例を示す図である。
【図１０】本発明の第三の実施形態の無線通信装置の構成例を示す図である。
【図１１】本発明の第三の実施形態の端末管理テーブルの例を示す図である。
【図１２】本発明の第三の実施形態の測定フレームの伝送パラメータの例を示す図である。
【図１３】本発明の第三の実施形態の測定フレームの構成例を示す図である。
【図１４】本発明の第三の実施形態の評価基準の例を示す図である。
【図１５】本発明の第三の実施形態の評価結果の例を示す図である。
【図１６】本発明の第三の実施形態の測定パターンの例を示す図である。
【図１７】本発明の第四の実施形態の無線通信装置の構成例を示す図である。
【図１８】本発明の第四の実施形態の無線通信装置の構成例を示す図である。
【図１９】本発明の第四の実施形態の端末（ＳＴＡ）の構成例を示す図である。
【図２０】本発明の第四の実施形態の無線通信装置および端末の動作例を示す図である。
【図２１】本発明の各実施形態のハードウェア構成例を示す図である。
【発明を実施するための形態】
【００１４】
［第一の実施形態］
本発明の第一の実施の形態について説明する。
【００１５】
図１に本実施形態の無線通信装置１０の構成例を示す。
【００１６】
本実施形態の無線通信装置１０は、無線通信部１１、測定部１２、評価部１３および出力部１４により構成される。
【００１７】
無線通信部１１は、一つ以上の端末と無線通信を行う部分である。測定部１２は、各々の端末との無線通信の通信品質を測定する部分である。評価部１３は、各々の端末との無線通信の通信品質に基づいて無線通信の全体の通信品質の良否を評価する部分である。出力部１４は、評価結果を出力する部分である。
【００１８】
このように無線通信装置１０を構成することによって、無線通信装置１０は、各々の端末との無線通信の通信品質を測定し、各々の端末との無線通信の通信品質に基づいて無線通信の全体の通信品質の良否を評価し、評価結果を出力する。これにより、利用者は、無線通信装置１０が行う無線通信の全体の通信品質の良否の評価結果を知ることが可能になる。そのため、無線通信装置の設置場所が適切かどうかを利用者が容易に判断することが可能になる。
【００１９】
次に、図２に本実施形態の無線通信装置１０の動作の例を示す。
【００２０】
まず、無線通信装置１０の測定部１２は、各々の端末との無線通信の通信品質を測定する（ステップＳ１０１）。次に、評価部１３は、各々の端末との無線通信の通信品質に基づいて無線通信の全体の通信品質の良否を評価する（ステップＳ１０２）。そして、出力部１４は、評価結果を出力する（ステップＳ１０３）。
【００２１】
このように動作することによって、無線通信装置１０は、各々の端末との無線通信の通信品質を測定し、各々の端末との無線通信の通信品質に基づいて無線通信の全体の通信品質の良否を評価し、評価結果を出力する。そのため、無線通信装置の設置場所が適切かどうかを利用者が容易に判断することが可能になる。
【００２２】
以上で説明したように、本発明の第一の実施形態では、無線通信装置１０は、各々の端末との無線通信の通信品質を測定し、各々の端末との無線通信の通信品質に基づいて無線通信の全体の通信品質の良否を評価し、評価結果を出力する。これにより、利用者は、無線通信装置１０が行う無線通信の全体の通信品質の良否の評価結果を知ることが可能になる。そのため、無線通信装置の設置場所が適切かどうかを利用者が容易に判断することが可能になる。
【００２３】
［第二の実施形態］
次に、本発明の第二の実施の形態について説明する。本実施形態では、第一の実施形態の無線通信装置１０のより具体的な例について説明する。
【００２４】
まず、図３に本実施形態の無線通信システムの構成例を示す。本実施形態の無線通信システムは、無線通信装置１０、端末６０Ａ、端末６０Ｂ、端末６０Ｃにより構成される。本実施形態では、無線通信装置１０は、無線ＬＡＮアクセスポイント（ＡＰ）、端末６０Ａ、端末６０Ｂ、端末６０Ｃは、無線ＬＡＮ子機（ＳＴＡ）である。なお、図３の例では無線通信装置１０にＳＴＡが３台帰属する構成としているが、３台に限らず一つ以上のＳＴＡが無線通信装置１０に帰属することが可能である。
【００２５】
次に、図１を用いて無線通信装置１０の構成例について説明する。
【００２６】
無線通信部１１は、一つ以上のＳＴＡと無線通信を行う部分である。本実施形態では、無線通信部１１は、端末６０Ａ、端末６０Ｂ、端末６０Ｃと無線通信を行う。また、本実施形態では、無線通信は、無線ＬＡＮ通信であるものとする。
【００２７】
測定部１２は、端末６０Ａ、端末６０Ｂ、端末６０Ｃの各々との無線通信の通信品質を測定する部分である。評価部１３は、端末６０Ａ、端末６０Ｂ、端末６０Ｃの各々との無線通信の通信品質に基づいて、無線通信装置１０が行う無線通信の全体の通信品質の良否を評価する部分である。すなわち、評価部１３は、図３の無線通信システム全体の無線通信の通信品質の良否を評価する。
【００２８】
出力部１４は、評価結果を出力する部分である。たとえば、出力部１４は、無線通信装置１０上の表示装置（ディスプレイなど）に評価結果を表示させる。あるいは、無線通信装置１０上のＬＥＤ（Light Emitting Diode）に、点灯パターンや色によって評価結果を出力させる。評価部１３が評価結果を保持し、利用者からＷｅｂＧＵＩ（Graphical User Interface）等を経由して要求があったときに出力部１４が評価部１３から評価結果を取得して出力することも可能である。
【００２９】
次に、図４を用いて、本実施形態の無線通信装置１０の測定部１２のより具体的な構成例について説明する。なお、本実施形態の無線通信装置１０は、通信品質として、スループット、レイテンシおよびジッタを測定する。
【００３０】
測定部１２は、送信管理部１１０、受信管理部１２０および測定管理部１３０により構成される。送信管理部１１０は、送信レート制御部１１１およびフレーム生成部１１２により構成される。受信管理部１２０は、受信時刻取得部１２１、通信品質種別判定部１２２、スループット算出部１２３およびレイテンシおよびジッタ算出部１２４により構成される。測定管理部１３０は、端末管理テーブル記憶部１３１、測定状況管理部１３２および測定結果記憶部１３３により構成される。
【００３１】
測定管理部１３０の端末管理テーブル記憶部１３１は、無線通信装置１０に帰属しているＳＴＡの情報である端末管理テーブルを記憶する部分である。端末管理テーブル記憶部１３１は、無線通信装置１０に帰属しているＳＴＡの情報を無線通信部１１から受け取って記憶する。
【００３２】
図５に端末管理テーブルの例を示す。端末管理テーブルは、無線通信装置１０に帰属するＳＴＡの識別情報を含む情報である。ＳＴＡの識別情報は、たとえばＳＴＡのＭＡＣ（Media Access Control）アドレスである。図５の例では、端末管理テーブル記憶部１３１には、端末６０Ａ、端末６０Ｂ、端末６０ＣのＭＡＣアドレスが記憶されている。
【００３３】
測定状況管理部１３２は、通信品質の測定状況を管理する部分である。測定状況管理部１３２では、無線通信装置１０に帰属する各々のＳＴＡについての通信品質の測定状況を管理し、測定が完了すると、各通信品質を評価部１３へ渡す。
【００３４】
測定状況管理部１３２は、無線通信装置１０に帰属する各々のＳＴＡについて、通信品質の測定用の測定フレームの送信を送信レート制御部１１１およびフレーム生成部１１２へ指示する。このとき、測定状況管理部１３２は、測定フレームの宛先ＳＴＡの情報と、測定する通信品質の種別を送信レート制御部１１１およびフレーム生成部１１２へ通知する。
【００３５】
本実施形態の場合、測定状況管理部１３２は、端末管理テーブル記憶部１３１から無線通信装置１０に帰属しているＳＴＡの情報（たとえば図５）を取得し、各ＳＴＡを順に宛先ＳＴＡとして指定する。また、通信品質種別としては、スループット、あるいは、レイテンシおよびジッタを順に指定する。ここで、通信品質種別を指定するのは、スループット測定の場合と、レイテンシおよびジッタ測定の場合で、送信レート制御部１１１が送信する測定フレームの送信レートを変えるためである。
【００３６】
また、測定状況管理部１３２は、スループット算出部１２３およびレイテンシおよびジッタ算出部１２４から受け取った測定結果（通信品質）を測定結果記憶部１３３へ記憶させる。また、測定状況管理部１３２は、端末管理テーブル記憶部１３１から無線通信装置１０に帰属するＳＴＡの情報を取得し、無線通信装置１０に帰属するＳＴＡの各々についての通信品質の測定が完了すると、測定結果記憶部１３３の測定結果を評価部１３へ渡す。
【００３７】
送信管理部１１０は、測定状況管理部１３２からの指示に従って、通信品質測定用の測定フレームを無線通信部１１経由で送信する部分である。送信管理部１１０のフレーム生成部１１２は、測定状況管理部１３２からの指示に従って、所定の測定フレームを生成する部分である。また、送信レート制御部１１１は、測定状況管理部１３２からの指示に従って、所定の送信レートで測定フレームを無線通信部１１経由で送信する部分である。なお、フレーム生成部１１２および送信レート制御部１１１は、所定のフレーム数、あるいは、所定時間の間、測定フレームを送信する。
【００３８】
図６に本実施形態の測定フレームの構成例を示す。測定フレームは、ヘッダ部分とＤａｔａ部分により構成される。ヘッダ部分には、宛先ＭＡＣアドレスと送信元ＭＡＣアドレスを含み、宛先ＭＡＣアドレスには通信品質の測定対象のＳＴＡのＭＡＣアドレス、送信元ＭＡＣアドレスには所定の測定用ＭＡＣアドレスを格納する。
【００３９】
測定フレームのＤａｔａ部分は、開始ビット、終了ビット、通信品質の種別を示す通信品質種別、フレームの送信時刻、フレームサイズを調整するためのパディングで構成される。開始ビットは最初のフレームであることを示し、終了ビットは最後のフレームであることを示す。実使用環境で通信されるフレームに近くなるよう、パディング部分にはランダムデータを格納する。
【００４０】
送信レート制御部１１１は、通信品質種別がスループットの場合、実際に送受信される程度のデータレートでスループットを測定できるよう、ある程度高速の送信レートで測定フレームを送信する。また、通信品質種別がレイテンシおよびジッタ測定の場合は、パケットロスが発生すると正確にレイテンシおよびジッタを測定できないため、パケットロスの心配のない低速の送信レート、たとえば、１０ｐｐｓ（packet par second）で測定フレームを送信する。
【００４１】
無線通信部１１は、受信したフレームの宛先ＭＡＣアドレスを確認し、宛先ＭＡＣアドレスが測定フレーム用のＭＡＣアドレスならば、受信したフレームを受信管理部１２０の受信時刻取得部１２１へ転送する。
【００４２】
受信時刻取得部１２１は、フレームの受信時刻を取得する部分である。
【００４３】
通信品質種別判定部１２２は、測定フレームが、スループット測定用の測定フレームか、レイテンシおよびジッタ測定用の測定フレームかを判定する部分である。測定フレームがスループット測定用の測定フレームならば、測定フレームをスループット算出部１２３へ転送する。測定フレームがレイテンシおよびジッタ測定用の測定フレームならば、測定フレームをレイテンシおよびジッタ算出部１２４へ転送する。
【００４４】
スループット算出部１２３は、スループットを測定する部分、レイテンシおよびジッタ算出部１２４は、レイテンシおよびジッタを測定する部分である。そして、スループット算出部１２３およびレイテンシおよびジッタ算出部１２４は算出した通信品質を測定状況管理部１３２へ渡す。
【００４５】
スループット算出部１２３は、式１から式３によりスループットを算出することができる。
測定フレームの受信量＝受信したフレーム数×フレームサイズ      （式１）
通信時間＝終了フレームの受信時刻−開始フレームの受信時刻      （式２）
スループット＝測定フレームの受信量／通信時間      （式３）
なお、開始フレーム、終了フレームは、測定フレームの開始ビット、終了ビットより判断することができる。
【００４６】
また、レイテンシおよびジッタ算出部１２４は、以下の方法によりレイテンシおよびジッタを算出することができる。レイテンシは、まず、式４により各フレームの往復時間を算出し、開始フレームから終了フレームまでの往復時間の平均を算出することで、算出することができる。また、ジッタは、式５により算出することができる。
往復時間＝受信時刻−送信時刻      （式４）
ジッタ＝往復時間の最大値−往復時間の最小値      （式５）
次に、評価部１３の評価方法の例について説明する。
【００４７】
まず、評価部１３は、測定部１２から受け取った通信品質の各々について、所定の評価基準と比較して評価する。図３の無線通信システムで、スループット、レイテンシおよびジッタを測定する場合、端末６０Ａ、端末６０Ｂ、端末６０Ｃのそれぞれについて、スループット、レイテンシおよびジッタのそれぞれを評価する。たとえば、スループットについては、評価基準と比較して、スループットが大きい方から、評価Ａ、Ｂ、Ｃ、×の４段階に評価する。レイテンシおよびジッタは、それぞれについて、値の小さい方から評価Ａ、Ｂ、Ｃ、×の４段階に評価する。ＳＴＡと通信できなかった場合等、正常に測定結果を得られなかった場合は、そのＳＴＡについてはいずれも評価×とする。
【００４８】
そして、評価部１３は、各々のＳＴＡの評価を総合して、無線通信全体の評価を行う。たとえば、評価部１３は、各々の評価を点数化して平均することで、全体の評価結果を計算する。たとえば、評価Ａは３点、評価Ｂは２点、評価Ｃは１点として、各評価結果の点数の平均を計算して全体の評価結果とする。また、この平均値をさらに何段階かに評価したものを評価結果としても良い。なお、正常に測定結果を得られなかったＳＴＡがある場合は、無線通信装置１０の設置位置が適切でないことになるため、０点、あるいは、最低評価ランク（評価×）としても良い。
【００４９】
次に、図７に端末６０（６０Ａ、６０Ｂ、６０Ｃ）の構成例を示す。端末６０は、無線通信部６１およびフレーム処理部６２により構成される。
【００５０】
無線通信部６１は、無線通信装置１０と無線通信を行う部分である。また、無線通信部６１は、受信したフレームが測定フレームか否か判断し、受信したフレームが測定フレームのとき、受信したフレームをフレーム処理部６２へ転送する。受信したフレームが測定フレームか否かは、受信したフレームの送信元ＭＡＣアドレスが測定用のＭＡＣアドレスか否かで判断する。
【００５１】
フレーム処理部６２は、測定フレームを無線通信部６１経由で無線通信装置１０へ送り返す部分である。このとき、フレーム処理部６２では、受け取ったフレームの宛先ＭＡＣアドレスと送信元ＭＡＣアドレスを入れ替えて無線通信部６１へ渡す。
【００５２】
このように無線通信装置１０を構成することによって、無線通信装置１０は、各々の端末との無線通信の通信品質を測定し、各々の端末との無線通信の通信品質に基づいて無線通信の全体の通信品質の良否を評価し、評価結果を出力する。これにより、利用者は、無線通信装置１０が行う無線通信の全体の通信品質の良否の評価結果を知ることが可能になる。そのため、無線通信装置の設置場所が適切かどうかを利用者が容易に判断することが可能になる。
【００５３】
また、本実施形態の無線通信装置１０は、測定フレームを各ＳＴＡに送信して、戻ってきた測定フレームにより通信品質を測定する。ＳＴＡがＡＰ経由で回線速度測定サイトにアクセスして通信品質を測定する場合、ＷＡＮ（Wide Area Network）や回線速度測定サイトの通信状況の影響を受けて、正確に通信品質を測定できない可能性がある。これに対し、本実施形態の無線通信装置１０は、ＷＡＮや回線速度測定サイトの通信状況の影響を受けずにより正確にＡＰとＳＴＡ間の通信品質を測定することが可能になる。
【００５４】
また、本実施形態の無線通信装置１０は、ＡＰが各ＳＴＡとの無線通信の通信品質を測定することで、ＳＴＡでの評価結果を収集することなく、ＡＰが行う無線通信全体の通信品質を容易に評価することが可能になる。
【００５５】
また、本実施形態の無線通信装置１０は、通信品質として、スループット、レイテンシおよびジッタの３つの指標を使用し、これらの指標を総合的に評価する。これにより、通信品質の良否を一つの指標により評価する場合より正確に設置場所の良否を評価することが可能になる。
【００５６】
次に、図２を用いて本実施形態の無線通信装置１０の動作例について説明する。
【００５７】
まず、利用者の開始操作等により、無線通信装置１０の測定部１２は、端末６０Ａ、端末６０Ｂ、端末６０Ｃの各々について無線通信の通信品質を測定する（ステップＳ１０１）。利用者の開始操作は、たとえば、無線通信装置１０のボタンの操作や、ＷｅｂＧＵＩからの操作などが考えられる。
【００５８】
次に、評価部１３は、端末６０Ａ、端末６０Ｂ、端末６０Ｃの各々についての通信品質に基づいて、無線通信の全体の通信品質の良否を評価する（ステップＳ１０２）。そして、出力部１４は、評価結果を出力する（ステップＳ１０３）。
【００５９】
この結果を受けて、利用者は、無線通信装置１０の設置場所を変えて再度評価を行い、満足する評価結果が出たところを無線通信装置１０の設置場所とする。また、評価部１３が過去の評価結果を記憶し、利用者の要求により出力部１４が過去の設置場所での評価結果を評価部１３から取得して出力することも可能である。この場合、利用者がその評価結果を比較することで、評価を実施した設置場所の中で、より良い通信品質を確保できる場所を選定することが可能となる。
【００６０】
次に、図８を用いて、各端末の通信品質の測定（図２のステップＳ１０１）のより具体的な動作例について説明する。
【００６１】
まず、利用者の操作等により、端末管理テーブル記憶部１３１は、無線通信部１１から帰属しているＳＴＡの情報を取得する。
【００６２】
そして、測定状況管理部１３２は、ＳＴＡおよび通信品質種別の全組み合わせについて、通信品質の測定を行う。本実施形態では、ＳＴＡは３台（端末６０Ａ、端末６０Ｂ、端末６０Ｃ）、通信品質種別は２種類（スループット、レイテンシおよびジッタ）のため、合計６種類の通信品質を測定する。
【００６３】
まず、測定状況管理部１３２は、端末６０Ａについて、スループット測定用の測定フレームの送信を、フレーム生成部１１２および送信レート制御部１１１へ指示する。フレーム生成部１１２では、宛先を端末６０ＡのＭＡＣアドレス、送信元を測定用のＭＡＣアドレスとした測定フレームを生成し、送信レート制御部１１１は測定フレームを無線通信部１１経由で送信する（ステップＳ２０１）。端末６０Ａは、無線通信部６１が測定フレームを受信すると、宛先ＭＡＣアドレスと送信元ＭＡＣアドレスを入れ替えたフレームを、無線通信装置１０へ送信する。
【００６４】
無線通信部１１は、端末６０Ａから測定フレームを受信すると、受信時刻取得部１２１へ転送する。受信時刻取得部１２１は、測定フレームの受信時刻を取得し、通信品質種別判定部１２２へ測定フレームを転送する。通信品質種別判定部１２２は、受け取った測定フレームの通信品質種別を判定し、測定フレームがスループット測定用であるため、スループット算出部１２３へ測定フレームを転送する。スループット算出部１２３は、スループットを測定し、測定結果（スループット）を測定状況管理部１３２へ渡す。そして、測定状況管理部１３２は端末６０Ａのスループットを測定結果記憶部１３３へ記憶させる（ステップＳ２０２）。
【００６５】
次に、測定状況管理部１３２は、端末６０Ａについて、レイテンシおよびジッタ測定用の測定フレームの送信を、フレーム生成部１１２および送信レート制御部１１１へ指示する。フレーム生成部１１２では、宛先を端末６０ＡのＭＡＣアドレス、送信元を測定フレーム用のＭＡＣアドレスとした測定フレームを生成し、送信レート制御部１１１は測定フレームを無線通信部１１経由で送信する（ステップＳ２０３）。端末６０Ａでは、スループット測定用の測定フレームと同様に、宛先ＭＡＣアドレスと送信元ＭＡＣアドレスを入れ替えたレイテンシおよびジッタ測定用の測定フレームフレームを、無線通信装置１０へ送信する。
【００６６】
無線通信部１１は、端末６０Ａから測定フレームを受信すると、受信時刻取得部１２１へ転送する。受信時刻取得部１２１は、測定フレームの受信時刻を取得し、通信品質種別判定部１２２へ測定フレームを転送する。通信品質種別判定部１２２は、受け取った測定フレームがレイテンシおよびジッタ測定用であるため、レイテンシおよびジッタ算出部１２４へ測定フレームを転送する。レイテンシおよびジッタ算出部１２４は、レイテンシおよびジッタを測定し、測定結果（レイテンシおよびジッタ）を測定状況管理部１３２へ渡す。そして、測定状況管理部１３２は端末６０Ａのレイテンシおよびジッタを測定結果記憶部１３３へ記憶させる（ステップＳ２０４）。また、このとき、測定管理部１３２は端末６０Ａについての通信品質の測定が完了したと判断する。
【００６７】
測定状況管理部１３２は、端末６０Ａ、端末６０Ｂ、端末６０Ｃの各々について、通信品質の測定が完了するまで（ステップＳ２０５でＮＯ）、ステップＳ２０１からステップＳ２０４の動作を繰り返す。端末６０Ａ、端末６０Ｂ、端末６０Ｃの各々について、通信品質の測定が完了すると（ステップＳ２０５でＹＥＳ）、測定状況管理部１３２は各々の通信品質を評価部１３へ渡す。
【００６８】
このように動作することによって、無線通信装置１０は、各々の端末との無線通信の通信品質を測定し、各々の端末との無線通信の通信品質に基づいて無線通信の全体の通信品質の良否を評価し、評価結果を出力する。そのため、無線通信装置の設置場所が適切かどうかを利用者が容易に判断することが可能になる。
【００６９】
以上で説明したように、本発明の第二の実施形態では、第一の実施形態と同様に、無線通信装置１０は、各々の端末との無線通信の通信品質を測定し、各々の端末との無線通信の通信品質に基づいて無線通信の全体の通信品質の良否を評価し、評価結果を出力する。これにより、利用者は、無線通信装置１０が行う無線通信の全体の通信品質の良否の評価結果を知ることが可能になる。そのため、無線通信装置の設置場所が適切かどうかを利用者が容易に判断することが可能になる。
【００７０】
また、ＳＴＡがＡＰ経由で回線速度測定サイトにアクセスして通信品質を測定する場合、ＷＡＮや回線速度測定サイトの通信状況の影響を受けて、正確に通信品質を測定できない可能性がある。これに対し、本実施形態の無線通信装置１０は、測定フレームを各ＳＴＡに送信して、戻ってきた測定フレームにより通信品質を測定する。そのため、本実施形態の無線通信装置１０は、ＷＡＮや回線速度測定サイトの通信状況の影響を受けずにより正確にＡＰとＳＴＡ間の通信品質を測定することが可能になる。
【００７１】
また、本実施形態の無線通信装置１０は、ＡＰが各ＳＴＡとの無線通信の通信品質を測定することで、ＳＴＡでの評価結果を収集することなく、ＡＰが行う無線通信全体の通信品質を容易に評価することが可能になる。
【００７２】
また、本実施形態の無線通信装置１０は、通信品質として、スループット、レイテンシおよびジッタの３つの指標を使用し、これらの指標を総合的に評価する。これにより、通信品質の良否を一つの指標により評価する場合より正確に設置場所の良否を評価することが可能になる。
【００７３】
［第三の実施形態］
次に、本発明の第三の実施の形態について説明する。本実施形態は、ＳＴＡの使用用途に応じて測定フレームの送信パラメータおよび評価基準を変える形態である。
【００７４】
第二の実施形態の無線通信装置１０は、各ＳＴＡへ同じ伝送パラメータの測定フレームを送信して通信品質を測定し、得られた測定結果を同じ評価基準で評価している。しかし、ＳＴＡによって使用用途は様々なため、送受信するデータは使用用途によって様々である。たとえば、音声通話（ＶｏＩＰ：Voice over Internet Protocol）で送受信されるデータは低速で、データサイズも小さい。一方、ファイル転送で送受信されるデータは、高速で、データサイズも大きい場合がある。そのため、一律の測定フレームで通信品質を評価した場合、実使用環境でＳＴＡが送受信するフレームでの通信品質とは異なる通信品質が得られる可能性がある。
【００７５】
また、ＳＴＡによって使用用途は様々なため、必要とする通信品質も様々である。たとえば、音声通話に使用するＳＴＡにとっては、高いスループットは不要だが、レイテンシやジッタは小さい方が望ましい。一方、ファイル転送に使用するＳＴＡにとっては、スループットは高い方が望ましいが、レイテンシやジッタはある程度大きくても構わない。そのため、ＳＴＡによって実使用環境に合った評価基準で通信品質を評価する方が、より実使用環境に合った設置位置にＡＰを設置することが可能になる。
【００７６】
以上を考慮して、本実施形態では、各ＳＴＡの使用用途を利用者がＡＰに対して設定し、ＡＰでは、その使用用途に応じた伝送パラメータで測定フレームを送信し、得られた通信品質を使用用途に応じた評価基準で評価する。これにより、実使用環境に合った通信品質を測定し、評価を行うことを可能にする。
【００７７】
まず、図９に本実施形態の無線通信装置２０の構成例を示す。本実施形態の無線通信装置２０は、無線通信部１１、測定部２２、評価部２３および出力部１４により構成される。無線通信部１１および出力部１４については第二の実施形態と同様のため、説明を省略する。
【００７８】
図１０は、測定部２２のより具体的な構成例である。測定部２２は、送信管理部１１０、受信管理部１２０および測定管理部２３０により構成される。送信管理部１１０および受信管理部１２０については、第二の実施形態と同様のため説明を省略する。
【００７９】
測定管理部２３０は、端末管理テーブル記憶部２３１、測定状況管理部２３２、測定結果記憶部１３３および送信パラメータ記憶部２３４により構成される。
【００８０】
端末管理テーブル記憶部２３１は、第二の実施形態と同様に、無線通信装置１０に帰属するＳＴＡの情報である端末管理テーブルを記憶する部分である。
【００８１】
図１１に、本実施形態の端末管理テーブルの例を示す。本実施形態の端末管理テーブルは、無線通信装置２０に帰属するＳＴＡの識別情報に加えて、各ＳＴＡの使用用途を含む。使用用途は、各ＳＴＡの主な使用用途であり、本実施形態では利用者が各ＳＴＡの使用用途を選択して無線通信装置２０へ設定する。選択できる使用用途の候補としては、たとえば、動画視聴、音声通話、ファイル転送、オンラインゲームなどが考えられる。
【００８２】
端末管理テーブル記憶部２３１では、無線通信装置２０に帰属しているＳＴＡの情報を記憶する。また、利用者がたとえばＷｅｂＧＵＩ等で設定することにより、端末管理テーブル記憶部２３１は、利用者によって選択された使用用途を記憶する。
【００８３】
送信パラメータ記憶部２３４は、使用用途に応じた測定フレームの送信パラメータを記憶する部分である。
【００８４】
図１２に、送信パラメータの例を示す。送信パラメータ記憶部２３４は、使用用途ごとに、送信パラメータとして、Ｄａｔａ部分サイズおよび送信レートを記憶する。なお、図１２の送信レートは、スループット測定用の送信レートである。送信パラメータには、各使用用途で扱われる通信データの特徴に基づいた値があらかじめ登録されている。利用者が送信パラメータを設定できるようにしても良い。
【００８５】
以降、本実施形態では、送信パラメータ記憶部２３４には、使用用途として、動画視聴、音声通話、ファイル転送の３つが設定されているものとする。
【００８６】
測定状況管理部２３２は、第二の実施形態と同様に、通信品質の測定状況の管理を行う部分である。本実施形態では、測定状況管理部２３２は、各ＳＴＡの使用用途を端末管理テーブル記憶部２３１から取得し、その使用用途に応じた送信パラメータを送信パラメータ記憶部２３４から取得する。そして、その送信パラメータを送信管理部１１０の送信レート制御部１１１およびフレーム生成部１１２へ通知する。ただし、レイテンシおよびジッタ測定のときには、送信レートには、パケットロスの心配のない低速の送信レート、たとえば、１０ｐｐｓを指定する。
【００８７】
フレーム生成部１１２および送信レート制御部１１１は、測定状況管理部２３２からの指示に従って、測定フレームをＳＴＡへ送信する。なお、フレーム生成部１１２および送信レート制御部１１１は、所定のフレーム数、あるいは、所定時間の間、測定フレームを生成して送信する。
【００８８】
図１３に本実施形態の測定フレームの構成例を示す。測定フレームは、ヘッダ部分とＤａｔａ部分により構成される。ヘッダ部分には、宛先ＭＡＣアドレスと送信元ＭＡＣアドレスを含み、宛先ＭＡＣアドレスには通信品質の測定対象のＳＴＡのＭＡＣアドレス、送信元ＭＡＣアドレスには所定の測定用ＭＡＣアドレスを格納する。
【００８９】
測定フレームのＤａｔａ部分は、開始ビット、終了ビット、使用用途を示す使用用途種別、通信品質の種別を示す通信品質種別、フレームの送信時刻、フレームサイズを調整するためのパディングで構成される。開始ビットは、最初のフレームであることを、終了ビットは最後のフレームであることを示す。実使用環境で通信されるフレームに近くなるよう、パディング部分にはランダムデータを格納する。
【００９０】
次に、評価部２３について説明する。評価部２３は、第二の実施形態と同様に、各ＳＴＡの通信品質を評価し、それに基づいて全体の通信品質を評価する部分である。ただし、本実施形態の評価部２３は、使用用途ごとに異なる評価基準を使用して通信品質を評価する。
【００９１】
図１４に評価基準の例を示す。このように、通信品質種別および使用用途ごとに、評価基準を設ける。この例では、各使用用途の各通信品質種別に対して、評価Ａ、Ｂ、Ｃ、×の４段階の評価基準を設けている。評価基準はあらかじめ評価部２３に設定されているものとするが、利用者が設定できるようにしても良い。
【００９２】
また、図１５に、図１４の評価基準で通信品質の評価を行った場合の評価結果の例を示す。まず、各ＳＴＡの各使用用途に対して、スループット、レイテンシおよびジッタを測定し、その各測定結果に対して図１４の評価基準で評価を行っている。
【００９３】
そして、各測定結果をさらに総合的に評価して、評価Ａとしている。総合評価は、たとえば、各評価結果を点数化し、全評価結果についての点数の平均を計算し、平均値を所定の評価基準に従って評価することで行うことが可能である。また、計算した平均値を総合評価結果とすることも可能である。
【００９４】
このように無線通信装置２０を構成することによって、無線通信装置２０は、各々の端末との無線通信の通信品質を測定し、各々の端末との無線通信の通信品質に基づいて無線通信の全体の通信品質の良否を評価し、評価結果を出力する。これにより、利用者は、無線通信装置２０が行う無線通信の全体の通信品質の良否の評価結果を知ることが可能になる。そのため、無線通信装置の設置場所が適切かどうかを利用者が容易に判断することが可能になる。
【００９５】
また、本実施形態の無線通信装置２０は、ＳＴＡの使用用途に合わせて測定フレームのＤａｔａ部分の長さや送信レートを変えている。これにより、ＳＴＡの実使用環境に合った測定フレームを送信し、より正確に通信品質を測定することが可能になる。
【００９６】
また、本実施形態の無線通信装置２０は、ＳＴＡの使用用途に合わせた評価基準で通信品質を評価している。これにより、実使用環境で求められる通信品質を満たしているかどうかを評価することが可能になる。
【００９７】
次に、図２および図８を用いて本実施形態の無線通信装置２０の動作例について説明する。
【００９８】
まず、無線通信装置２０にはあらかじめ利用者により、図１２の送信パラメータが設定されているものとする。また、あらかじめ、無線通信装置２０に帰属しているＳＴＡの情報を無線通信部１１が端末管理テーブル記憶部２３１に記憶させ、また、利用者が各ＳＴＡに対する使用用途を端末管理テーブル記憶部２３１に設定する。これにより、図１１の端末管理テーブルが端末管理テーブル記憶部２３１に記憶されているものとする。
【００９９】
そして、利用者の操作等により、測定状況管理部２３２は測定を開始する（図２のステップＳ１０１）。
【０１００】
測定状況管理部２３２は、測定を開始すると、端末管理テーブル記憶部２３１から無線通信装置２０に帰属するＳＴＡの情報と各ＳＴＡの使用用途を取得する。本実施形態では、通信品質としてスループット、レイテンシおよびジッタを測定するため、図１６に示す組み合わせで通信品質の測定を行うことになる。あるいは、各ＳＴＡに対してすべての使用用途で通信品質の測定を行っても良い。この場合、ＳＴＡが３つ、使用用途が３種類、通信品質種別が２種類のため、１８パターンの組み合わせで通信品質の測定を行うことになる。
【０１０１】
測定状況管理部２３２は、まず、図１６の組み合わせの中から、ＳＴＡが端末６０Ａ、使用用途が動画視聴、通信品質種別がスループットの場合について通信品質の測定を開始する。測定状況管理部２３２は、使用用途が動画視聴の場合の送信パラメータを送信パラメータ記憶部２３４から取得し、その送信パラメータを含む測定条件情報を送信管理部１１０へ送信する。
【０１０２】
ここで測定状況管理部２３２が送信管理部１１０へ渡す測定条件情報は、具体的には以下の情報を含む。
・ＳＴＡ識別情報：端末６０ＡのＭＡＣアドレス
・使用用途：動画視聴
・通信品質種別：スループット
・Ｄａｔａ部分サイズ：１５００ｂｙｔｅ
・送信レート：１０Ｍｂｐｓ
送信管理部１１０は、測定状況管理部２３２から測定条件情報を受け取ると、測定フレームの送信を開始する（図８のステップＳ２０１）。
【０１０３】
送信管理部１１０のフレーム生成部１１２は、測定状況管理部２３２から測定条件情報を受け取ると、図１３のような測定フレームを生成する。このとき、測定フレームの宛先ＭＡＣアドレスには端末６０ＡのＭＡＣアドレスを、送信元ＭＡＣアドレスには、所定の測定用ＭＡＣアドレスを格納する。また、最初のフレームの場合、開始ビットを、最後のフレームの場合は終了ビットを１にセットする。また、使用用途種別には動画視聴を示す値を、通信品質種別にはスループットを示す値を、送信時刻には測定フレームの送信時刻を格納する。また、パディングには、測定条件情報で指定されたＤａｔａ部分のサイズ（１５００ｂｙｔｅ）になるよう、ランダムデータを格納する。
【０１０４】
送信レート制御部１１１は、フレーム生成部１１２から測定フレームを受け取ると、測定条件情報により指定された送信レート（１０Ｍｂｐｓ）で測定フレームを無線通信部１１経由で送信する。
【０１０５】
端末６０Ａの無線通信部６１は、受信したフレームの送信元ＭＡＣアドレスが測定用ＭＡＣアドレスのとき、受信したフレームをフレーム処理部６２へ転送する。そして、フレーム処理部６２では、受け取ったフレームの宛先ＭＡＣアドレスと送信元ＭＡＣアドレスを入れ替える、ループバック処理を行う。そして、フレーム処理部６２は、ループバック処理が行われたフレームを無線通信部６１経由で送信する。
【０１０６】
無線通信装置２０の無線通信部１１は、受信したフレームの宛先ＭＡＣアドレスが測定用ＭＡＣアドレスのとき、受信したフレームを受信管理部１２０へ転送する。受信管理部１２０では、第二の実施形態と同様に、スループットを測定して測定結果記憶部１３３へ記憶させる（ステップＳ２０２）。
【０１０７】
スループットの測定を完了すると、測定状況管理部２３２は、ＳＴＡが端末６０Ａ、使用用途が動画視聴、通信品質種別がレイテンシおよびジッタの場合について通信品質の測定を開始する（ステップＳ２０３）。
【０１０８】
測定状況管理部２３２は、使用用途が動画視聴の場合の送信パラメータを送信パラメータ記憶部２３４から取得し、その送信パラメータを含む測定条件情報を送信管理部１１０へ送信する。
【０１０９】
ここで測定状況管理部２３２が送信管理部１１０へ渡す測定条件情報は、具体的には以下の情報を含む。なお、レイテンシおよびジッタ測定の場合の送信レートについては、使用用途とは関係なく、低速の値、たとえば１０ｐｐｓとする。
・ＳＴＡ識別情報：端末６０ＡのＭＡＣアドレス
・使用用途：動画視聴
・通信品質種別：レイテンシおよびジッタ
・Ｄａｔａ部分サイズ：１５００ｂｙｔｅ
・送信レート：１０ｐｐｓ
送信管理部１１０は、測定状況管理部２３２から測定条件情報を受け取ると、測定フレームの送信を開始する。
【０１１０】
フレームを受信した端末６０Ａは、スループット測定のときと同様に、ループバック処理を行った測定パケットを送信する。
【０１１１】
無線通信装置２０の無線通信部１１は、受信したフレームの宛先ＭＡＣアドレスが測定用ＭＡＣアドレスのとき、受信したフレームを受信管理部１２０へ転送する。受信管理部１２０では、第二の実施形態と同様に、レイテンシおよびジッタを測定して測定結果記憶部１３３へ記憶させる（ステップＳ２０４）。
【０１１２】
このようにして、無線通信装置２０は、端末６０Ａの動画視聴向けの通信品質の測定を完了する。以降、同様にして、図１６の他の組み合わせについても通信品質を測定する。
【０１１３】
測定状況管理部２３２は、全組み合わせで通信品質の測定が完了すると（ステップＳ２０５でＹＥＳ）、測定結果を測定結果記憶部１３３から取得して評価部２３へ渡す。そして、評価部２３は測定結果の評価を開始する（図２のステップＳ１０２）。
【０１１４】
評価部２３は、図１４の評価基準を参照して、各々の測定結果を評価する。たとえば、使用用途が動画視聴の場合のスループットが９Ｍｂｐｓだった場合、図１４の評価基準では８Ｍｂｐｓ以上が評価Ａのため、評価Ａと判定する。ＳＴＡと正常に通信を行えない等で通信品質を取得できなかった場合には、そのＳＴＡについての評価結果を、最低ランクの評価×とする。なお、測定部２２で全使用用途について通信品質を測定した場合には、評価部２３では、各ＳＴＡの通信用途の測定結果に対してのみ評価を行う。
【０１１５】
次に、評価部２３は、評価項目の評価結果に基づいて、全体の評価を行う。たとえば、評価ランクを点数化し、全測定結果についての点数の平均を計算することで、全体の評価結果とする。
【０１１６】
たとえば、図１５の評価結果の場合、評価Ａを３点、評価Ｂを２点、評価Ｃを１点、評価×を０点として平均を計算すると、２．７５点となる。これを全体の評価結果とする。また、さらに、これを、２．５点以上は評価Ａ、１．５点以上２．５点未満は評価Ｂ、という形でランク分けした結果を評価結果とすることも可能である。
【０１１７】
評価×の測定結果が一つでもある場合には、全体の評価結果も評価×としても良い。これは、一つでも通信不能状態のＳＴＡがある場合には、無線通信装置２０の設置場所として適さないためである。
【０１１８】
次に、出力部１４は、評価結果を出力する（ステップＳ１０３）。出力部１４では、たとえば、無線通信装置２０上のＬＥＤや表示装置へ評価結果を出力する。あるいは、利用者のＷｅｂＧＵＩの操作等により、評価部２３に保持されている測定結果や評価結果を取得してＷｅｂＧＵＩへ出力することも可能である。
【０１１９】
利用者は、この評価結果の出力を受けて、無線通信装置２０の設置場所を変えて再度通信品質の測定評価を行い、満足する評価結果を得られた場所を無線通信装置２０の設置場所とする。
【０１２０】
また、評価部２３が過去の評価結果を保持し、利用者が過去の設置場所での評価結果を参照し比較することで、より良い通信品質を確保できる場所を選定することが可能となる。
【０１２１】
このように動作することによって、無線通信装置２０は、各々の端末との無線通信の通信品質を測定し、各々の端末との無線通信の通信品質に基づいて無線通信の全体の通信品質の良否を評価し、評価結果を出力する。そのため、無線通信装置の設置場所が適切かどうかを利用者が容易に判断することが可能になる。
【０１２２】
以上で説明したように、本発明の第三の実施形態では、無線通信装置２０は、各々の端末との無線通信の通信品質を測定し、各々の端末との無線通信の通信品質に基づいて無線通信の全体の通信品質の良否を評価し、評価結果を出力する。これにより、利用者は、無線通信装置２０が行う無線通信の全体の通信品質の良否の評価結果を知ることが可能になる。そのため、無線通信装置の設置場所が適切かどうかを利用者が容易に判断することが可能になる。
【０１２３】
また、本実施形態の無線通信装置２０は、ＳＴＡの使用用途に合わせて測定フレームのＤａｔａ部分の長さや送信レートを変えている。これにより、ＳＴＡの実使用環境に合った測定フレームを送信し、より正確に通信品質を測定することが可能になる。
【０１２４】
また、本実施形態の無線通信装置２０は、ＳＴＡの使用用途に合わせた評価基準で通信品質を評価している。これにより、実使用環境で求められる通信品質を満たしているかどうかを評価することが可能になる。
【０１２５】
［第四の実施形態］
次に、本発明の第四の実施の形態について説明する。本実施形態は、利用者が各ＳＴＡの使用用途を設定するのではなく、ＡＰが各ＳＴＡから使用用途を取得する形態である。
【０１２６】
まず、図１７および図１８に本実施形態の無線通信装置３０の構成例を示す。無線通信装置３０は、無線通信部１１、測定部３２、評価部２３および出力部１４より構成される。無線通信部１１、評価部２３および出力部１４は第三の実施形態と同様のため説明を省略する。
【０１２７】
測定部３２は、送信管理部１１０、受信管理部１２０および測定管理部３３０により構成される。送信管理部１１０および受信管理部１２０については第三の実施形態と同様のため説明を省略する。
【０１２８】
測定管理部３３０は、端末管理テーブル記憶部３３１、測定状況管理部２３２、測定結果記憶部１３３、送信パラメータ記憶部２３４および使用用途取得部３３５により構成される。測定状況管理部２３２、測定結果記憶部１３３および送信パラメータ記憶部２３４については第三の実施形態と同様のため説明を省略する。
【０１２９】
端末管理テーブル記憶部３３１は、無線通信装置３０に帰属するＳＴＡの情報を記憶する部分である。また、第三の実施形態では、各ＳＴＡの使用用途を利用者が設定したが、本実施形態では、各ＳＴＡの使用用途を使用用途取得部３３５が取得し、その使用用途を端末管理テーブル記憶部３３１が記憶する。
【０１３０】
使用用途取得部３３５は、無線通信装置３０に帰属するＳＴＡからそのＳＴＡの使用用途を受け取り、端末管理テーブル記憶部３３１へ記憶させる部分である。
【０１３１】
図１９に本実施形態の端末７０（ＳＴＡ）の構成例を示す。本実施形態の端末７０は、無線通信部６１、フレーム処理部６２および使用用途通知部７３を備える。
【０１３２】
使用用途通知部７３は、端末７０が無線通信装置３０に帰属したとき、自装置の使用用途を無線通信部６１経由で送信する部分である。使用用途は、あらかじめ利用者の操作等によりＳＴＡに登録しても良いし、ＳＴＡにインストールされているアプリケーションの種類などによりＳＴＡが判断し、随時更新しても良い。
【０１３３】
このように無線通信装置３０を構成することによって、無線通信装置３０は、各々の端末との無線通信の通信品質を測定し、各々の端末との無線通信の通信品質に基づいて無線通信の全体の通信品質の良否を評価し、評価結果を出力する。これにより、利用者は、無線通信装置３０が行う無線通信の全体の通信品質の良否の評価結果を知ることが可能になる。そのため、無線通信装置の設置場所が適切かどうかを利用者が容易に判断することが可能になる。
【０１３４】
また、本実施形態の端末７０（ＳＴＡ）は、自装置の使用用途を無線通信装置３０（ＡＰ）へ送信する。さらに、端末７０が自装置の使用用途を判断することにより、利用者が使用用途を設定する手間を軽減することが可能になる。
【０１３５】
次に、図２０を用いて本実施形態の無線通信装置３０の動作例について説明する。本実施形態の無線通信装置３０の動作例は、第三の実施形態とほぼ同様である。
【０１３６】
第三の実施形態では、あらかじめ、利用者の操作等により端末管理テーブル記憶部３３１に各ＳＴＡの使用用途が設定されていた。これに対して、本実施形態の無線通信装置３０は、各ＳＴＡの使用用途を各ＳＴＡから取得する。
【０１３７】
端末７０の使用用途通知部７３は、自装置が無線通信装置３０に帰属すると（ステップＳ３０１）、自装置の使用用途を無線通信部６１経由で無線通信装置３０へ送信する（ステップＳ３０２）。
【０１３８】
無線通信装置３０の使用用途取得部３３５は、無線通信部１１が使用用途を受信すると、その使用用途を端末管理テーブル記憶部３３１へ記憶させる。そして、端末管理テーブル記憶部３３１は、端末７０のＭＡＣアドレスと使用用途を記憶する（ステップＳ３０３）。
【０１３９】
他の動作については第三の実施形態（図２および図８）と同様のため、説明を省略する。
【０１４０】
このように動作することによって、無線通信装置３０は、各々の端末との無線通信の通信品質を測定し、各々の端末との無線通信の通信品質に基づいて無線通信の全体の通信品質の良否を評価し、評価結果を出力する。そのため、無線通信装置の設置場所が適切かどうかを利用者が容易に判断することが可能になる。
【０１４１】
以上で説明したように、本発明の第四の実施形態では、無線通信装置３０は、各々の端末との無線通信の通信品質を測定し、各々の端末との無線通信の通信品質に基づいて無線通信の全体の通信品質の良否を評価し、評価結果を出力する。これにより、利用者は、無線通信装置３０が行う無線通信の全体の通信品質の良否の評価結果を知ることが可能になる。そのため、無線通信装置の設置場所が適切かどうかを利用者が容易に判断することが可能になる。
【０１４２】
また、本実施形態の端末７０（ＳＴＡ）は、自装置の使用用途を無線通信装置３０（ＡＰ）へ送信する。さらに、端末７０が自装置の使用用途を判断することにより、利用者が使用用途を設定する手間を軽減することが可能になる。
【０１４３】
［ハードウェア構成例］
上述した本発明の各実施形態における無線通信装置（１０、２０、３０）を、一つの無線通信装置（コンピュータ）を用いて実現するハードウェア資源の構成例について説明する。なお、無線通信装置は、物理的または機能的に少なくとも二つの無線通信装置を用いて実現してもよい。また、無線通信装置は、専用の装置として実現してもよい。また、無線通信装置の一部の機能のみを無線通信装置を用いて実現しても良い。
【０１４４】
図２１は、本発明の各実施形態の無線通信装置を実現可能な無線通信装置のハードウェア構成例を概略的に示す図である。情報処理装置９０は、通信インタフェース９１、入出力インタフェース９２、演算装置９３、記憶装置９４および不揮発性記憶装置９５およびドライブ装置９６を備える。
【０１４５】
通信インタフェース９１は、各実施形態の無線通信装置が、有線あるいは／および無線で外部装置と通信するための通信手段である。なお、無線通信装置を、少なくとも二つの無線通信装置を用いて実現する場合、それらの装置の間を通信インタフェース９１経由で相互に通信可能なように接続しても良い。
【０１４６】
入出力インタフェース９２は、入力デバイスの一例であるキーボードや、出力デバイスとしてのディスプレイ等のマンマシンインタフェースである。
【０１４７】
演算装置９３は、汎用のＣＰＵ（Central Processing Unit）やマイクロプロセッサ等の演算処理装置である。演算装置９３は、たとえば、不揮発性記憶装置９５に記憶された各種プログラムを記憶装置９４に読み出し、読み出したプログラムに従って処理を実行することが可能である。
【０１４８】
記憶装置９４は、演算装置９３から参照可能な、ＲＡＭ（Random Access Memory）等のメモリ装置であり、プログラムや各種データ等を記憶する。記憶装置９４は、揮発性のメモリ装置であっても良い。
【０１４９】
不揮発性記憶装置９５は、たとえば、ＲＯＭ（Read Only Memory）、フラッシュメモリ、等の、不揮発性の記憶装置であり、各種プログラムやデータ等を記憶することが可能である。
【０１５０】
ドライブ装置９６は、たとえば、後述する記録媒体９７に対するデータの読み込みや書き込みを処理する装置である。
【０１５１】
記録媒体９７は、たとえば、光ディスク、光磁気ディスク、半導体フラッシュメモリ等、データを記録可能な任意の記録媒体である。
【０１５２】
本発明の各実施形態は、たとえば、図２１に例示した情報処理装置９０により無線通信装置を構成し、この無線通信装置に対して、上記各実施形態において説明した機能を実現可能なプログラムを供給することにより実現してもよい。
【０１５３】
この場合、無線通信装置に対して供給したプログラムを、演算装置９３が実行することによって、実施形態を実現することが可能である。また、無線通信装置のすべてではなく、一部の機能を情報処理装置９０で構成することも可能である。
【０１５４】
さらに、上記プログラムを記録媒体９７に記録しておき、無線通信装置の出荷段階、あるいは運用段階等において、適宜上記プログラムが不揮発性記憶装置９５に格納されるよう構成してもよい。なお、この場合、上記プログラムの供給方法は、出荷前の製造段階、あるいは運用段階等において、適当な治具を利用して無線通信装置内にインストールする方法を採用してもよい。また、上記プログラムの供給方法は、インターネット等の通信回線を介して外部からダウンロードする方法等の一般的な手順を採用してもよい。
【０１５５】
なお、上述する各実施の形態は、本発明の好適な実施の形態であり、本発明の要旨を逸脱しない範囲内において種々変更実施が可能である。
【０１５６】
上記の実施形態の一部または全部は、以下の付記のようにも記載されうるが、以下には限られない。
【０１５７】
（付記１）
一つ以上の端末と無線通信を行う無線通信部と、
各々の前記端末との前記無線通信の通信品質を測定する測定部と、
各々の前記端末との前記無線通信の前記通信品質に基づいて前記無線通信の全体の前記通信品質の良否を評価する評価部と、
前記評価結果を出力する出力部と
を備えることを特徴とする無線通信装置。
【０１５８】
（付記２）
前記通信品質は、一つ以上の指標を含む
ことを特徴とする付記１に記載の無線通信装置。
【０１５９】
（付記３）
前記測定部は、測定用の測定フレームを前記無線通信を介して前記端末へ送信し、前記端末から受信した第二の測定フレームに基づいて前記通信品質の前記測定を行い、
前記第二の測定フレームは、ヘッダ部分とＤａｔａ部分を含み、前記第二の測定フレームの前記Ｄａｔａ部分と前記測定フレームの前記Ｄａｔａ部分が同じである
ことを特徴とする付記１あるいは付記２に記載の無線通信装置。
【０１６０】
（付記４）
前記測定部は、前記端末の使用用途に応じた送信パラメータで前記測定フレームの前記送信を行う
ことを特徴とする付記３に記載の無線通信装置。
【０１６１】
（付記５）
前記送信パラメータは、前記測定フレームの長さ、あるいは／および、前記測定フレームの送信レートを含む
ことを特徴とする付記４に記載の無線通信装置。
【０１６２】
（付記６）
前記評価部は、前記端末の使用用途に応じた評価基準に基づいて前記評価を行う
ことを特徴とする付記１から付記５のいずれかに記載の無線通信装置。
【０１６３】
（付記７）
付記１から付記６のいずれかに記載の無線通信装置と、
前記端末と
を備えることを特徴とする無線通信システム。
【０１６４】
（付記８）
付記３から付記５のいずれかに記載の無線通信装置と、
前記端末と
を備え、
前記端末は、前記無線通信装置から前記測定フレームを受信し、前記第二の測定フレームを前記無線通信装置へ送信する
ことを特徴とする無線通信システム。
【０１６５】
（付記９）
一つ以上の端末と無線通信を行い、
各々の前記端末との前記無線通信の通信品質を測定し、
各々の前記端末との前記無線通信の前記通信品質に基づいて前記無線通信の全体の前記通信品質の良否を評価し、
前記評価結果を出力する
ことを特徴とする無線通信方法。
【０１６６】
（付記１０）
前記通信品質は、一つ以上の指標を含む
ことを特徴とする付記９に記載の無線通信方法。
【０１６７】
（付記１１）
測定用の測定フレームを前記無線通信を介して前記端末へ送信し、前記端末から受信した第二の測定フレームに基づいて前記通信品質の前記測定を行い、
前記第二の測定フレームは、ヘッダ部分とＤａｔａ部分を含み、前記第二の測定フレームの前記Ｄａｔａ部分と前記測定フレームの前記Ｄａｔａ部分が同じである
ことを特徴とする付記９あるいは付記１０に記載の無線通信方法。
【０１６８】
（付記１２）
前記端末の使用用途に応じた送信パラメータで前記測定フレームの前記送信を行う
ことを特徴とする付記１１に記載の無線通信方法。
【０１６９】
（付記１３）
前記送信パラメータは、前記測定フレームの長さ、あるいは／および、前記測定フレームの送信レートを含む
ことを特徴とする付記１２に記載の無線通信方法。
【０１７０】
（付記１４）
前記端末の使用用途に応じた評価基準に基づいて前記評価を行う
ことを特徴とする付記９から付記１３のいずれかに記載の無線通信方法。
【０１７１】
（付記１５）
コンピュータに、
一つ以上の端末と無線通信を行う無線通信機能と、
各々の前記端末との前記無線通信の通信品質を測定する測定機能と、
各々の前記端末との前記無線通信の前記通信品質に基づいて前記無線通信の全体の前記通信品質の良否を評価する評価機能と、
前記評価結果を出力する出力機能と
を実現させることを特徴とする無線通信プログラム。
【０１７２】
（付記１６）
前記通信品質は、一つ以上の指標を含む
ことを特徴とする付記１５に記載の無線通信プログラム。
【０１７３】
（付記１７）
前記測定機能は、測定用の測定フレームを前記無線通信を介して前記端末へ送信し、前記端末から受信した第二の測定フレームに基づいて前記通信品質の前記測定を行い、
前記第二の測定フレームは、ヘッダ部分とＤａｔａ部分を含み、前記第二の測定フレームの前記Ｄａｔａ部分と前記測定フレームの前記Ｄａｔａ部分が同じである
ことを特徴とする付記１５あるいは付記１６に記載の無線通信プログラム。
【０１７４】
（付記１８）
前記測定機能は、前記端末の使用用途に応じた送信パラメータで前記測定フレームの前記送信を行う
ことを特徴とする付記１７に記載の無線通信プログラム。
【０１７５】
（付記１９）
前記送信パラメータは、前記測定フレームの長さ、あるいは／および、前記測定フレームの送信レートを含む
ことを特徴とする付記１８に記載の無線通信プログラム。
【０１７６】
（付記２０）
前記評価機能は、前記端末の使用用途に応じた評価基準に基づいて前記評価を行う
ことを特徴とする付記１５から付記１９のいずれかに記載の無線通信プログラム。
【符号の説明】
【０１７７】
１０、２０、３０    無線通信装置
１１    無線通信部
１２、２２、３２    測定部
１３、２３    評価部
１４    出力部
６０、７０    端末
６１    無線通信部
６２    フレーム処理部
７３    使用用途通知部
９０    情報処理装置
９１    通信インタフェース
９２    入出力インタフェース
９３    演算装置
９４    記憶装置
９５    不揮発性記憶装置
９６    ドライブ装置
９７    記録媒体
【図１】
2018074531.tif 000003
【図２】
2018074531.tif 000004
【図３】
2018074531.tif 000005
【図４】
2018074531.tif 000006
【図５】
2018074531.tif 000007
【図６】
2018074531.tif 000008
【図７】
2018074531.tif 000009
【図８】
2018074531.tif 000010
【図９】
2018074531.tif 000011
【図１０】
2018074531.tif 000012
【図１１】
2018074531.tif 000013
【図１２】
2018074531.tif 000014
【図１３】
2018074531.tif 000015
【図１４】
2018074531.tif 000016
【図１５】
2018074531.tif 000017
【図１６】
2018074531.tif 000018
【図１７】
2018074531.tif 000019
【図１８】
2018074531.tif 000020
【図１９】
2018074531.tif 000021
【図２０】
2018074531.tif 000022
【図２１】
2018074531.tif 000023